(57)【要約】【課題】従来の車両衝突試験装置は、衝突試験毎に車両が壊れる破壊式の場合が多く、車両が道路の側溝等に落ちて傾いた状態等での、エアーバッグ等の安全装置の衝突試験は繰り返し行えないという問題がある。【解決手段】ガイドレールに沿って移動自在に配置された滑走架台と、滑走架台の上方に配置され車両を搭載する載置用架台と、滑走架台と載置用架台とを連結し載置用架台を６自由度に駆動する６本の車両姿勢制御用シリンダと、滑走架台に搭載されると共に遠隔開閉弁を介して前記６本の車両姿勢制御用シリンダに接続された作動油蓄圧タンクと、滑走架台を制動する制動装置と、滑走架台を前記ガイドレールに沿って移動させる架台駆動装置と、入力された運転条件に基づき制動装置、架台駆動装置、遠隔開閉弁を制御する制御装置とを備えた。これにより、車両を破壊することなく、エアーバッグ等の安全装置の衝突試験を正確に再現できる。【選択図】図２
2007114084.tif 000002
【特許請求の範囲】
【請求項１】
ガイドレールに沿って移動自在に配置された滑走架台と、
前記滑走架台の上方に配置され車両を搭載する載置用架台と、
前記滑走架台と前記載置用架台とを連結し前記載置用架台を６自由度に駆動する６本の車両姿勢制御用シリンダと、
前記滑走架台に搭載されると共に遠隔開閉弁を介して前記６本の車両姿勢制御用シリンダに接続された作動油蓄圧タンクと、
前記滑走架台を制動する制動装置と、
前記滑走架台を前記ガイドレールに沿って移動させる架台駆動装置と、
入力された運転条件に基づき前記制動装置、前記架台駆動装置、前記遠隔開閉弁を制御する制御装置とを備えたことを特徴とする車両衝突試験装置。
【請求項２】
前記架台駆動装置は、走行用モータにより回転する駆動プーリーと、従動プーリーと、前記駆動プーリー及び前記従動プーリーに掛け回されると共に前記滑走架台に連結された牽引ワイヤとを有していることを特徴とする請求項１に記載の車両衝突試験装置。
【請求項３】
前記制動装置は、前記駆動プーリー及び前記従動プーリーに配置されたブレーキであることを特徴とする請求項２に記載の車両衝突試験装置。
【請求項４】
前記架台駆動装置は、前記ガイドレールの一端に配置され前記滑走架台を押出す押出用油圧シリンダと、前記押出用油圧シリンダに作動油を供給する油タンク及びポンプユニットを有し、
前記制動装置は、前記滑走架台に配置されたブレーキ用シリンダと、前記ブレーキ用シリンダにより前記ガイドレールに押付けられて制動力を発生する押圧板とを有していることを特徴とする請求項１に記載の車両衝突試験装置。
【請求項５】
ガイドレールに沿って移動自在に配置された滑走架台と、
前記滑走架台の上方に配置され車両を搭載する載置用架台と、
前記滑走架台と前記載置用架台とを連結し前記載置用架台を６自由度に駆動する６本の車両姿勢制御用シリンダと、
前記滑走架台を制動する制動装置と、
前記滑走架台を前記ガイドレールに沿って移動させる架台駆動装置と、
入力された運転条件に基づき前記制動装置、前記架台駆動装置、前記各車両姿勢制御用シリンダの駆動スケジュール及び駆動量を演算する制御装置とを備え、
前記架台駆動装置により前記滑走架台の移動を開始し、
所定の速度に達した時に前記制動装置により前記滑走架台を制動すると共に前記各車両姿勢制御用シリンダを個々に駆動して前記載置用架台の姿勢を任意に制御することを特徴とする車両衝突試験方法。
【発明の詳細な説明】
【技術分野】
【０００１】
本発明は、車両が道路の側溝に落ちて傾いた時、車両が斜めに向いた状態で衝突した時等において、車両を実際に衝突させて破損することなくエアーバッグ、シートベルト等の安全装置の衝突試験を行う車両衝突試験方法及び衝突試験装置に関する。
【背景技術】
【０００２】
従来、車両の衝突試験方法或いは試験装置として、例えば、２台のテスト車両を、走行路の走行方向に所定の間隔をおいて設置すると共に、前記走行路に配置された２本の牽引用ワイヤロープを、前記２台のテスト車両を連結する各スケータに咬合させ、各牽引用ワイヤロープを異なる速度で、しかも、独立して駆動走行させることにより、前側のテスト車両の走行速度よりも後側のテスト車両の走行速度を大きくさせた状態で各テスト車両を牽引走行させ、ピット上の設定衝突地点において追突させるものが提案されている（例えば、特許文献１。）。
【０００３】
しなしながら、特許文献１に記載のものは、車両が道路の側溝等に落ちて、前車輪が降下し車両が傾いた時等の衝突試験は行えず、且つ、衝突試験毎に車両を破壊するため、エアーバッグ等の安全装置の衝突試験を行うためのコストが高くなるという問題がある。
【０００４】
また、一端に衝突対象構造物が設置された所要長さの助走路に塩化ビニルシートレールを助走路の長手方向に敷設し、前記塩化ビニルシートレールの試験車両の牽引開始位置に試験車両の前後輪の各タイヤ接地面にフッ素樹脂シートを装着した試験車両を前記衝突対象構造物に対し試験車両の側面が対向するよう横向き方向でセットして動力ワイヤにてドーリを介して試験車両を前記衝突対象構造物に向けて加速させ試験車両の側面を衝突対象構造物に衝突させるようにしたものも提案されている（例えば、特許文献２。）。
【０００５】
しかしながら、特許文献２に記載のものは、車両が横方向に衝突した状態の衝突試験を行うことができるものの、衝突試験毎に車両を破壊するものであり、且つ、車両が道路の側溝等に落ちて傾いた状態での、エアーバッグ等の安全装置の衝突試験は行えないという問題がある。
【０００６】
また、本願出願人は、図５に図示のように、車両用衝突試験装置及び方法において、車両を壁などに直接衝突させることなく高精度な衝突試験を実施可能とすべく、車両１を搭載する移動台車１０１をガイドレール３に沿って移動自在に支持し、この移動台車１０１に制動装置としての（ブレーキ用）エアシリンダ５４を装着する一方、移動台車１０１を押出可能な押出装置としての押出用油圧シリンダ５０を設置し、制御装置１０４は、ブレーキ用エアシリンダ５４による制動力と押出用油圧シリンダ５０による押出力を制御して移動台車１０１に対して予め設定された所定の試験加速度Ｇを付与するものを提案した。
なお、５１は油タンク、５２はポンプユニット、５３は押出部材、１０２は連結ホース、１０３はコンプレッサである（例えば、特許文献３。）。
【０００７】
特許文献３に記載のものは、車両を実際に衝突させて破損することなく衝突試験を行えることができるものの、車両が道路の側溝等に落ちて傾いた状態での、エアーバッグ等の安全装置の正確な衝突試験は行えないという問題がある。
【０００８】
【特許文献１】特開２００３−１３９６４８公報
【特許文献２】特開２００１−１４７１７３公報
【特許文献３】特開２００３−３２９５３８公報
【発明の開示】
【発明が解決しようとする課題】
【０００９】
本発明は、上記問題点を解決するために提案されたものであって、車両が衝突した際に発生するピッチング、ヨーイング或いはロールオーバ現象を再現させ、なおかつ車両を実際に衝突させて破損することなくエアーバッグ等の安全装置の衝突試験を行う車両衝突試験方法及び衝突試験装置を提供することを目的とする。
【課題を解決するための手段】
【００１０】
本発明は上記従来の課題を解決するためになされたもので、特許請求の範囲に記載された各発明は、車両衝突試験方法及び衝突試験装置として、それぞれ以下に述べる各手段を採用したものである。
【００１１】
（１）第１の手段の車両衝突試験装置は、ガイドレールに沿って移動自在に配置された滑走架台と、前記滑走架台の上方に配置され車両を搭載する載置用架台と、前記滑走架台と前記載置用架台とを連結し前記載置用架台を６自由度に駆動する６本の車両姿勢制御用シリンダと、前記滑走架台に搭載されると共に遠隔開閉弁を介して前記６本の車両姿勢制御用シリンダに接続された作動油蓄圧タンクと、前記滑走架台を制動する制動装置と、前記滑走架台を前記ガイドレールに沿って移動させる架台駆動装置と、入力された運転条件に基づき前記制動装置、前記架台駆動装置、前記遠隔開閉弁を制御する制御装置とを備えたことを特徴とする。
【００１２】
（２）第２の手段の車両衝突試験装置は、前記第１の手段において、前記架台駆動装置は、走行用モータにより回転する駆動プーリーと、従動プーリーと、前記駆動プーリー及び前記従動プーリーに掛け回されると共に前記滑走架台に連結された牽引ワイヤとを有していることを特徴とする。
【００１３】
（３）第３の手段の車両衝突試験装置は、前記第２の手段において、前記制動装置は、前記駆動プーリー及び前記従動プーリーに配置されたブレーキであることを特徴とする。
【００１４】
（４）第４の手段の車両衝突試験装置は、前記第１の手段において、前記架台駆動装置は、前記ガイドレールの一端に配置され前記滑走架台を押出す押出用油圧シリンダと、前記押出用油圧シリンダに作動油を供給する油タンク及びポンプユニットを有し、前記制動装置は、前記滑走架台に配置されたブレーキ用シリンダと、前記ブレーキ用シリンダにより前記ガイドレールに押付けられて制動力を発生する押圧板とを有していることを特徴とする。
【００１５】
（５）第５の手段の車両衝突試験方法は、ガイドレールに沿って移動自在に配置された滑走架台と、前記滑走架台の上方に配置され車両を搭載する載置用架台と、前記滑走架台と前記載置用架台とを連結し前記載置用架台を６自由度に駆動する６本の車両姿勢制御用シリンダと、前記滑走架台を制動する制動装置と、前記滑走架台を前記ガイドレールに沿って移動させる架台駆動装置と、入力された運転条件に基づき前記制動装置、前記架台駆動装置、前記各車両姿勢制御用シリンダの駆動スケジュール及び駆動量を演算する制御装置とを備え、前記架台駆動装置により前記滑走架台の移動を開始し、所定の速度に達した時に前記制動装置により前記滑走架台を制動すると共に前記各車両姿勢制御用シリンダを個々に駆動して前記載置用架台を傾斜させることを特徴とする。
【発明の効果】
【００１６】
特許請求の範囲に記載の各請求項に係る発明の車両衝突試験方法及び衝突試験装置は、上記の各手段を採用しているので、以下の効果を奏する。
【００１７】
車両を搭載する載置用架台を６自由度に駆動する６本の車両姿勢制御用シリンダにより連結した滑走架台を、車両を水平状態に保ったままガイドレールに沿って移動（走行）させた後、車両を搭載した載置用架台を制動装置により制動させると共に、６本の車両姿勢制御用シリンダにより、車両及び載置用架台の姿勢を制御（ピッチング、ヨーイング或いはロールオーバ現象の再現）し衝突試験を行うことができるので、車両を実際に衝突させて破損することなくエアーバッグ等の安全装置の衝突試験を正確に行うことができる。
【発明を実施するための最良の形態】
【００１８】
以下、図１〜図４に基づいて、本発明の実施の形態に係るにつき説明する。
図１は、本発明の第１の実施形態に係る車両試験装置の概略平面図、図２は、同車両試験装置における車両試験用架台装置の正面図、図３は、同車両試験装置の制御装置のブロック図である。
図４は、本発明の第２の実施形態に係る車両試験装置の概略平面図である。
【００１９】
先ず、図１、図２、図３に基づき、本発明の第１の実施の形態に係る車両試験装置につき説明する。
図１、図２に図示のように、横断面が凹状に形成されたコンクリート製の所定の長さ（例えば、２５ｍ）の架台２の上面には、所定の長さを有する左右一対のガイドレール（軌道）３が敷設されている。
ガイドレール３の対峙する側には、図２に図示のように、左右一対の断面凹状の所定の長さのガイド部材１３が移動（走行）可能に配置されている。
なお、ガイド部材１３の内面、或いはガイドレール３の上下面には、ガイド部材１３がスライドしやすいように、プラスチック、フッ素樹脂等が貼り付けられている。
【００２０】
この左右一対のガイド部材１３上には、図２に図示のように、試験用架台装置１０の滑走架台（下部架台）１１が固定されている。
滑走架台１１の上方には、試験用の車両１を載置する載置用架台（上部架台）１２が配置されている。
車両１は、エアーバッグ、シートベルト等の安全装置を有し、且つ車両１内にはダミーが搭載されている。
また、車両１内或いは、試験用架台装置１０には、ダミー等に加わる状態（加速度、衝撃力等）を計測し記録するコンピュータ及び電源装置も搭載されている。
なお、車両１は、図示しない固定具により載置用架台１２上に位置決めされ固定されるようになっている。
【００２１】
滑走架台１１と載置用架台１２とは、６本の車両姿勢制御用シリンダ１４ａ〜１４ｆにより連結されている。
即ち、滑走架台１１の上面には、前部中央下軸受１５ａ、後部右側下軸受１５ｂ、及び後部左側下軸受１５ｃが各々固定されている。
また、載置用架台１２の下面には、前部右側上軸受１６ａ、前部左側上軸受１６ｂ、及び後部中央上軸受１６ｃが各々固定されている。
【００２２】
そして、前部中央下軸受１５ａと前部右側上軸受１６ａとは、車両姿勢制御用シリンダ１４ａにより連結されている。
前部中央下軸受１５ａと前部左側上軸受１６ｂとは、車両姿勢制御用シリンダ１４ｂにより連結されている。
後部右側下軸受１５ｂと前部右側上軸受１６ａとは、車両姿勢制御用シリンダ１４ｃにより連結されている。
後部右側下軸受１５ｂと後部中央上軸受１６ｃとは、車両姿勢制御用シリンダ１４ｄにより連結されている。
後部左側下軸受１５ｃと後部中央上軸受１６ｃとは、車両姿勢制御用シリンダ１４ｅにより連結されている。
後部左側下軸受１５ｃと前部左側上軸受１６ｂとは、車両姿勢制御用シリンダ１４ｆにより連結されている。
このようにして、６本の車両姿勢制御用シリンダ１４ａ〜１４ｆにより、６自由度駆動機構が形成されており、載置用架台１２の姿勢は、滑走架台１１に対し、自由に傾斜（ピッチング）、旋回（ヨーイング或いはロールオーバ）できるようになっている。
【００２３】
なお、滑走架台１１の形状は、板状のものに限定されるものではなく、例えば、６角形の枠状、リング枠状でも良く、この場合、前部中央下軸受１５ａ、後部右側下軸受１５ｂ、後部左側下軸受１５ｃは、この枠の上面に固定される。
また、滑走架台１１の中央には、後述する載置用架台駆動ユニット４０が取付けられている。
この載置用架台駆動ユニット４０は、滑走架台１１が板状の場合は、その上面或いは下面に取付けても良く、更には、載置用架台駆動ユニット４０内の各部品を上下に振り分けて取付けても良い。
また、滑走架台１１が枠状の場合は、滑走架台１１の枠間に固定された支持台に載置用架台駆動ユニット４０を取付ける。
【００２４】
試験用架台装置１０の滑走架台１１の前後には、図１に図示のように、滑走架台１１を移動させるための牽引ワイヤ２１が連結されている。
なお、牽引ワイヤ２１を無端状とし、滑走架台１１の下部にこの無端状の牽引ワイヤ２１を把持、固定するようにしても良い。
また、架台２の前後端には、プーリー２２ａ、２２ｂが配置され、架台２の前後端の側方にもプーリー２２ｃ、２２ｄが配置されている。
更に、架台２の中央部の側方には、駆動プーリー２３及び従動プーリー２４が配置されている。
【００２５】
そして、牽引ワイヤ２１は、プーリー２２ａ、２２ｂ、２２ｃ、２２ｄ、駆動プーリー２３及び従動プーリー２４に掛け回されている。
なお、牽引ワイヤ２１は、駆動プーリー２３と従動プーリー２４との間にタンデム状に複数回掛け回されている。
【００２６】
また、駆動プーリー２３及び従動プーリー２４には、試験用架台装置１０（車両１）を制動する制動装置としてのディスク式のブレーキ２６が各々配置されている。
【００２７】
駆動プーリー２３の回転軸には、駆動プーリー２３を回転させるための減速機付きの走行用モータ２５が、図示略のクラッチを介して連結されている。
また、従動プーリー２４は、図示略のテンショナーにより、牽引ワイヤ２１が弛まないような所定の張力で引っ張られており、牽引ワイヤ２１に対し駆動プーリー２３が空回りしないようになっている。
そして、牽引ワイヤ２１、プーリー２２ａ、２２ｂ、２２ｃ、２２ｄ、駆動プーリー２３、従動プーリー２４、走行用モータ２５等により、ワイヤ式の試験用の架台駆動装置２０が形成されている。
【００２８】
次に、図３に基づき、試験用架台装置１０に搭載された載置用架台駆動ユニット４０及び、制御装置につき説明する。
図３に図示のように、載置用架台駆動ユニット４０には、上部に窒素ガス等の高圧ガスが封入されると共に下部に作動油が封入される作動油蓄圧タンク４１が配置されている。
また、作動油蓄圧タンク４１には、高圧ガスを投入し封入するための逆止弁４３及び高圧ガス投入口４５、及び作動油を投入し封入するための逆止弁４４及び作動油投入口４６が接続されている。
【００２９】
更に、載置用架台駆動ユニット４０には、各車両姿勢制御用シリンダ１４ａ〜１４ｆへの作動油の給排油を制御する遠隔開閉弁として６個のサーボ弁４２ａ〜４２ｆが配置されている。
そして、各サーボ弁４２ａ〜４２ｆの圧力供給側は、作動油蓄圧タンク４１に接続され、排出側は、図示略の排油戻りタンクに接続されている。供給側と排出側は、サーボ弁４２ａ〜４２ｆの制御にて変更可能である。
【００３０】
なお、本実施の形態においては、例えば車両１の右側の前車輪、或いは右側の前後の車輪が溝等に落ち込み（脱輪）、車両１が傾斜して衝突、急停止するのを再現することを主目的としている。
そのため、溝転落時の車両姿勢を再現するため、上記サーボ弁４２ａ〜４２ｆを介して載置用架台１２を制御可能としている。
【００３１】
各サーボ弁４２ａ〜４２ｆは、試験用架台装置１０外に配置された制御装置３０に、少なくとも１３芯の制御用電線３１を介して接続されている。
更に、走行用モータ２５及び図示略のクラッチを制御する走行用モータ制御器３４は、制御用電線３３を介して制御装置３０に接続され、ブレーキ２６を制御するブレーキ制御器３５は、制御用電線３２を介して制御装置３０に接続されている。
【００３２】
制御装置３０は、ＣＰＵ、記憶装置、表示装置、及び衝突試験開始時の車両１の速度、衝突時の傾斜角度、傾斜方向、旋回角度、ブレーキ力等の衝突試験条件、運転開始等を入力するキーボード等の入力装置を備えている。
また、ＣＰＵでは、入力された衝突試験条件に基づき、載置用架台１２が水平な状態から、どの車両姿勢制御用シリンダ１４（１４ａ〜１４ｆ）をどのようなタイミングでどれ位伸縮するかのタイムスケジュールが演算される。
また、架台駆動装置２０には、例えば走行用モータ２５に図示略の回転計等の速度計が設けられており、回転計により検出された速度も制御装置３０に入力されるようになっている。
【００３３】
本発明の第１の実施形態に係る車両試験装置は上述のごとく構成されており、衝突試験を行う場合には、先ず、制御装置３０に、上述の衝突試験条件を入力する。
また、着脱自在な連結ホースにて事前に窒素等の高圧ガスを高圧ガス投入口４５より封入しておき、試験毎に着脱自在な連結ホースを作動油投入口４６に接続し、作動油を作動油蓄圧タンク４１に充填、封入する。
以上により、衝突試験の準備が完了する。
【００３４】
制御装置３０に運転開始を入力することにより、制御装置３０から走行用モータ制御器３４に起動開始信号が送信される。
走行用モータ制御器３４は、この信号に基づき走行用モータ２５を起動し、試験用架台装置１０は、駆動プーリー２３、牽引ワイヤ２１等により、移動（走行）を開始し、加速する。
そして、制御装置３０では、速度計にて検出された速度が、所定の速度に達したことを検知したら、衝突試験を開始する。
【００３５】
先ず、制御装置３０からブレーキ制御器３５にブレーキオン信号が送信され、ブレーキ２６は作動開始する。
その後、サーボ弁４２ａ〜４２ｆが、制御装置３０からの作動信号に基づき制御される。
このようにして、車両１が水平な状態で走行しているときに、制動、脱輪、傾斜、沈下して衝突した状態での試験が再現される。
【００３６】
従来のものでは、初めから車両１が水平な状態での衝突試験、横向きの状態での衝突試験、或いは初めから傾いた状態での衝突試験しか行うことができず、エアーバッグ、シートベルト等の安全装置の正確な作動試験を繰り返し行うことは困難であった。
これに対し、本実施の形態においては、車両１が水平な状態で走行中に（ブレーキが掛かり）、車両１の前輪、或いは一方側の車輪が溝等に落込んで車両１の一部が沈下した時の安全装置の作動を正確に再現できる。
【００３７】
なお、牽引ワイヤ２１を無端状のワイヤとし、ブレーキ２６に替わりに図２の右側に図示のように、滑走架台１１の４隅に試験用架台装置１０（車両１）を制動する制動装置としてのブレーキ用シリンダ５４、押圧板５６を設け、更に、滑走架台１１の下面に牽引ワイヤ２１を把持するワイヤ把持部材を設け、衝突試験時には、駆動プーリー２３にて車両１及び試験用架台装置１０を加速後、牽引ワイヤ２１を離し、ブレーキ用シリンダ５４によりブレーキを掛ると共に、走行用モータ２５をオフにし、サーボ弁４２ａ〜４２ｆを操作するようにしても良い。
この場合、ブレーキ用シリンダ５４の駆動は、圧縮気体を利用した空気シリンダをする。
【００３８】
次に、図４に基づき、本発明の第２の実施の形態に係る車両試験装置につき説明する。
本第２の実施の形態では、上述の第１の実施の形態に係る車両試験装置の、駆動プーリー２３、従動プーリー２４、牽引ワイヤ２１等からなる試験用架台装置１０の駆動機構に替えて、試験用架台装置１０を複数の押出用油圧シリンダ５０により押し出すようにしている。
【００３９】
即ち、本発明の第１の実施の形態に係る車両試験装置と同様に、架台２、ガイドレール３、ガイドレール３上を走行する試験用架台装置１０等を備えている。
また、試験用架台装置１０も、同様に、滑走架台１１、載置用架台１２、作動油蓄圧タンク４１、６個の各サーボ開閉弁４２ａ〜４２ｆを有する載置用架台駆動ユニット４０、６自由度駆動機構を形成する６本の車両姿勢制御用シリンダ１４ａ〜１４ｆを備えている。
【００４０】
架台２の一端部には、試験用架台装置１０を押出す試験用架台駆動装置としての押出用油圧シリンダ５０が設置されており、押出用油圧シリンダ５０の駆動ロッドの先端部には試験用架台装置１０を押し出す押出部材５３が取付けられている。
そして、この各押出用油圧シリンダ５０には油タンク５１及びポンプユニット５２が接続されている。
従って、ポンプユニット５２によって油タンク５１の圧油を各押出用油圧シリンダ５０に供給、あるいは各押出用油圧シリンダ５０に供給した圧油を排出することで駆動ロッドを伸長し、押出部材５３を介して試験用架台装置１０を押し出すことができる。
【００４１】
また、試験用架台装置１０には、図２の右下に図示のように、ガイドレール３に対してこの試験用架台装置１０を制動可能な制動装置としての複数のブレーキ用シリンダ５４が装着されており、各ブレーキ用シリンダ５４の駆動ロッドの先端部にはガイドレール３を押圧する押圧板５６が取付けられている。
【００４２】
なお、ポンプユニット５２、油タンク５１と押出用油圧シリンダ５０との間の配管に介装された図示略の遠隔制御弁等は、制御装置３０から制御用電線５５を介して制御される。
また、試験用架台装置１０内のサーボ弁４２ａ〜４２ｆ及びブレーキ用シリンダ５４は、本発明の第１の実施の形態に係る車両試験装置と同様に、制御用電線３１を介して制御装置３０により制御される。
【００４３】
なお、本発明の第２の実施の形態に係る車両試験装置においては、押出用油圧シリンダ５０による試験用架台装置１０の押出力は、車両１の前進方向と同方向の正の荷重であり、ブレーキ用シリンダ５４による試験用架台装置１０の制動力は、車両１の前進方向とは逆方向の負の荷重である。
従って、制御装置３０は押出用油圧シリンダ５０による正の荷重とブレーキ用シリンダ５４による負の荷重の合力を車両１に加速度として付与する。
【００４４】
本発明の第２の実施形態に係る車両試験装置は上述のごとく構成されており、試験を行う場合には、本発明の第１の実施形態に係る車両試験装置の場合と同様に、衝突試験を行うことができる。
【００４５】
以上、本発明の各実施の形態について説明したが、本発明は上記の各実施の形態に限定されず、本発明の範囲内でその具体的構造に種々の変更を加えてよいことはいうまでもない。
【図面の簡単な説明】
【００４６】
【図１】本発明の第１の実施形態に係る車両試験装置の概略平面図である。
【図２】同車両試験装置における車両試験用架台装置の正面図である。
【図３】同車両試験装置の制御装置のブロック図である。
【図４】本発明の第２の実施形態に係る車両試験装置の概略平面図である。
【図５】従来の車両用衝突試験装置の概略平面図である。
【符号の説明】
【００４７】
１      車両
２      架台
３      ガイドレール（軌道）
１０    試験用架台装置
１１    滑走架台（下部架台）
１２    載置用架台（上部架台）
１３    ガイド部材
１４ａ〜１４ｆ    車両姿勢制御用シリンダ
１５ａ  前部中央下軸受
１５ｂ  後部右側下軸受
１５ｃ  後部左側下軸受
１６ａ  前部右側上軸受
１６ｂ  前部左側上軸受
１６ｃ  後部中央上軸受
２０    架台駆動装置
２１    牽引ワイヤ
２２ａ〜２２ｄ  プーリー
２３    駆動プーリー
２４    従動プーリー
２５    走行用モータ
２６    ブレーキ
３０    制御装置
３１、３２、３３    制御用電線
３４    走行用モータ制御器
３５    ブレーキ制御器
４０    載置用架台駆動ユニット
４１    作動油蓄圧タンク
４２ａ〜４２ｆ    サーボ弁
４３、４４    逆止弁
４５    高圧ガス投入口
４６    作動油投入口
５０    押出用油圧シリンダ
５１    油タンク
５２    ポンプユニット
５３    押出部材
５４    ブレーキ用シリンダ
５５    制御用電線
５６    押圧板
【図１】
2007114084.tif 000003
【図２】
2007114084.tif 000004
【図３】
2007114084.tif 000005
【図４】
2007114084.tif 000006
【図５】
2007114084.tif 000007